(57)【要約】【課題】  複数の外部制御機器（外部機器）から制御可能な映像表示装置（電子機器）において、制御を行なうことができる外部制御機器（外部機器）を、必要に応じ、特定できるようにすることが課題になっていた。【解決手段】  実施形態の電子機器は、複数の外部機器と接続する接続部を備える。  また、前記複数の外部機器のいずれかから送信された制御コマンドを受信し、許可された外部機器から送信された制御コマンドかを検出する検出部を備える。  また、前記複数の外部機器から送信された複数の制御コマンドを受信した場合に、制御コマンドを受け付ける外部機器を予めされた設定に基づいて選択する選択部を備える。  また、前記選択された外部機器から送信された制御コマンドに基づいて制御する制御部を備える。【選択図】  図１
2013157962.tif 000002
【特許請求の範囲】
【請求項１】
複数の外部機器と接続する接続部と、
前記複数の外部機器のいずれかから送信された制御コマンドを受信し、許可された外部機器から送信された制御コマンドかを検出する検出部と、
前記複数の外部機器から送信された複数の制御コマンドを受信した場合に、制御コマンドを受け付ける外部機器を予めされた設定に基づいて選択する選択部と、
前記選択された外部機器から送信された制御コマンドに基づいて制御する制御部を備える電子機器。
【請求項２】
前記許可された外部機器を設定可能な設定画面を出力する許可設定画面出力部を備える請求項１に記載の電子機器。
【請求項３】
他の外部機器より優先される前記許可された外部機器を設定可能な設定画面を出力する優先設定画面出力部を備える請求項１に記載の電子機器。
【請求項４】
前記許可された外部機器の制御の優先順位を設定可能な設定画面を出力する優先順位設定画面出力部を備える請求項１に記載の電子機器。
【請求項５】
前記許可された外部機器以外の外部機器から送信された制御コマンドを受信した場合は、前記許可された外部機器の情報を出力する請求項１に記載の電子機器。
【請求項６】
前記検出された外部機器の制御を受け付ける旨の情報を出力する請求項１に記載の電子機器。
【請求項７】
前記許可された外部機器以外の外部機器に対し、前記検出された外部機器の制御を受け付ける旨の情報を出力する請求項１に記載の電子機器。
【請求項８】
請求項７に記載の電子機器から出力された、前記検出された外部機器の制御を受け付ける旨の情報を受信し、表示出力する表示部を備える外部制御機器（外部機器）。
【請求項９】
請求項１に記載の電子機器に対し、前記予めされた設定のＯＮ／ＯＦＦ指示を行なうことが可能な外部機器。
【請求項１０】
複数の外部機器と接続するステップと、
前記複数の外部機器のいずれかから送信された制御コマンドを受信し、許可された外部機器から送信された制御コマンドかを検出するステップと、
前記複数の外部機器から送信された複数の制御コマンドを受信した場合に、制御コマンドを受け付ける外部機器を予めされた設定に基づいて選択するステップと、
前記選択された外部機器から送信された制御コマンドに基づいて制御するステップを備える電子機器の制御方法。
【請求項１１】
複数の外部機器と接続するステップと、
前記複数の外部機器のいずれかから送信された制御コマンドを受信し、許可された外部機器から送信された制御コマンドかを検出するステップと、
前記複数の外部機器から送信された複数の制御コマンドを受信した場合に、制御コマンドを受け付ける外部機器を予めされた設定に基づいて選択するステップと、
前記選択された外部機器から送信された制御コマンドに基づいて制御するステップを備え、電子機器を制御する電子機器の制御プログラム。
【発明の詳細な説明】
【技術分野】
【０００１】
本発明の実施形態は、電子機器、外部機器、電子機器の制御方法、電子機器の制御プログラムに関する。
【背景技術】
【０００２】
近年、映像表示装置等の電子機器が普及し、複数の外部機器と接続されるものもある。
【０００３】
そして、映像表示装置（電子機器）を制御することが可能な複数の外部制御機器（外部機器）と映像表示装置（電子機器）が接続され、複数の外部制御機器（外部機器）から映像表示装置（電子機器）を制御する技術が提案されている。
【０００４】
しかし、映像表示装置（電子機器）を複数の外部制御機器（外部機器）から制御できるようになると、今度は、複数の外部制御機器（外部機器）からそれぞれ勝手に映像表示装置（電子機器）が制御されてしまうことが問題になっていた。
【０００５】
このため、複数の外部制御機器（外部機器）から制御可能な映像表示装置（電子機器）において、制御を行なうことができる外部制御機器（外部機器）を、必要に応じ、特定できるようにすることが課題になっていた。
【先行技術文献】
【特許文献】
【０００６】
【特許文献１】特開２００９−１７７５６１号公報
【特許文献２】特開２０１０−  ８６２７７号公報
【発明の概要】
【発明が解決しようとする課題】
【０００７】
複数の外部制御機器（外部機器）から制御可能な映像表示装置（電子機器）において、制御を行なうことができる外部制御機器（外部機器）を、必要に応じ、特定できるようにすることが課題になっていた。
【課題を解決するための手段】
【０００８】
実施形態の電子機器は、複数の外部機器と接続する接続部を備える。
【０００９】
また、前記複数の外部機器のいずれかから送信された制御コマンドを受信し、許可された外部機器から送信された制御コマンドかを検出する検出部を備える。
【００１０】
また、前記複数の外部機器から送信された複数の制御コマンドを受信した場合に、制御コマンドを受け付ける外部機器を予めされた設定に基づいて選択する選択部を備える。
【００１１】
また、前記選択された外部機器から送信された制御コマンドに基づいて制御する制御部を備える。
【図面の簡単な説明】
【００１２】
【図１】実施形態に係わる映像表示装置（電子機器）が、複数の外部制御機器（外部機器）から制御可能に構成されるようすを示す図。
【図２】実施形態に係わる映像表示装置（電子機器）の構成を示すブロック図。
【図３】実施形態に係わる映像表示装置（電子機器）の表示部に表示される外部制御機器（外部機器）の優先設定画面を示す図。
【図４】実施形態に係わる映像表示装置（電子機器）の表示部に表示される外部制御機器（外部機器）の許可設定画面を示す図。
【図５】実施形態に係わる映像表示装置（電子機器）の表示部に表示される外部制御機器（外部機器）の優先順位設定画面を示す図。
【図６】実施形態に係わる映像表示装置（電子機器）の表示部に表示される占有外部制御機器（外部機器）通知画面を示す図。
【図７】実施形態に係わる映像表示装置（電子機器）の表示部に表示される、映像表示装置（電子機器）の制御を占有している外部制御機器（外部機器）の情報を示す図。
【図８】実施形態に係わる映像表示装置（電子機器）に接続される他の外部制御機器（外部機器）の表示部に表示される、映像表示装置（電子機器）の制御を占有している外部制御機器（外部機器）の情報を示す図。
【図９】実施形態に係わる映像表示装置（電子機器）に接続される外部制御機器（外部機器）の他の例を示す図。
【図１０】実施形態に係わる映像表示装置（電子機器）の動作を説明するフローチャート。
【発明を実施するための形態】
【００１３】
以下、図面を参照し、実施の形態を説明する。
【００１４】
図１は、実施形態に係わる映像表示装置（電子機器）が、複数の外部制御機器（外部機器）から制御可能に構成されるようすを示す図である。
【００１５】
図１に示すように、映像表示装置（電子機器）１は、スマートフォンＡ２１、スマートフォンＢ２２、タブレットＡ２４等の複数の外部制御機器（外部機器）からの制御が可能に接続され、これらの複数の外部制御機器（外部機器）からそれぞれ制御することが可能である。
【００１６】
図２は、実施形態に係わる映像表示装置（電子機器）の構成を示すブロック図である。
【００１７】
ここでは、図示しない放送局から放送された、ＢＳ、ＣＳ、地上波等のデジタル放送がアンテナ１０１で受信され、チューナ１０２に送信される。
【００１８】
チューナ１０２は、例えば、リモコン（リモートコントローラ）１１４操作により、ユーザに指示された視聴用ＣＨ（チャンネル）を選局する。そして、復調された信号を信号処理部１０３に送信する。
【００１９】
信号処理部１０３は、この復調された信号からデジタル信号処理を行い、映像信号や音声信号を出力する。
【００２０】
そして、信号処理部１０３から出力された映像信号は、映像処理部１０４で受信され、所定の画面サイズに調整される。
【００２１】
また、表示処理部１０５で、さらに、文字情報等のグラフィックが重ねられ、ディスプレイ表示部１０６に画面表示される。ユーザは、この画面表示により、放送番組等を視聴する。
【００２２】
また、信号処理部１０３から出力された音声信号は、音声処理部１０７で受信され、音声処理が施され、出力される。
【００２３】
音声処理部１０７から出力された音声信号は、スピーカ１０８で受信され、例えば、増幅処理が行われ、音声として出力される。これにより、ユーザは、放送番組等の音声を聴くことができる。
【００２４】
また、チューナ１０２、信号処理部１０３、映像処理部１０４、表示処理部１０５、音声処理部１０７等のデバイスは、例えば、ＩＩＣ−ＢＵＳ１０９等の通信ラインを介してマイコン（マイクロコンピュータ）１１０に接続され、このマイコン１１０にコントロールされ、データの授受を行っている。
【００２５】
ここで、ＩＩＣ−ＢＵＳは、ＩＣ間用双方向シリアルバスである。
【００２６】
また、マイコン１１０には、例えば、ＲＡＭ１１１、ＲＯＭ１１２、キーボード１１３、リモコン１１４からリモコン信号を受信するリモコン受信部１１５が接続されており、それぞれ、信号やデータの授受を行っている。
【００２７】
また、この実施形態においては、映像表示装置（電子機器）は、例えば、ＬＡＮ端子１１６や無線ＬＡＮ送受信部１１７等の外部制御機器（外部機器）との接続端子を備えている。
【００２８】
映像表示装置（電子機器）は、これらの接続端子を介して、上記外部制御機器（外部機器）（スマートフォンＡ２１、スマートフォンＢ２２、タブレットＡ２４等）とネットワーク通信等を行なうことが可能である。
【００２９】
また、映像表示装置（電子機器）は、ＵＳＢ端子１１８やＢＴ通信部１１９で外部とデータの送受信を行なうこともできる。
【００３０】
ここで、ＵＳＢは、Ｕｎｉｖｅｒｓａｌ  Ｓｅｒｉａｌ  Ｂｕｓの略であり、コンピュータに周辺機器を接続するためのシリアルバス規格の1つである。
【００３１】
また、ＢＴは、Ｂｌｕｅｔｏｏｔｈ（登録商標）の略であり、デジタル機器用の近距離無線通信 <http://ja.wikipedia.org/wiki/%E7%84%A1%E7%B7%9A%E9%80%9A%E4%BF%A1>規格の1つである。
【００３２】
そして、この実施形態においては、映像表示装置（電子機器）１は、例えば、ＬＡＮ端子１１６や無線ＬＡＮ送受信部１１７等の外部制御機器（外部機器）との接続端子を介し、上記複数の外部制御機器（外部機器）（スマートフォンＡ２１、スマートフォンＢ２２、タブレットＡ２４等）から制御することが可能な構成になっている。
【００３３】
そして、上記複数の外部制御機器（外部機器）（スマートフォンＡ２１、スマートフォンＢ２２、タブレットＡ２４等）は、映像表示装置（電子機器）１に向けて、それぞれ、制御コマンドを送信し、映像表示装置（電子機器）１を制御することが可能である。
【００３４】
しかし、例えば、上記複数の外部制御機器（外部機器）（スマートフォンＡ２１、スマートフォンＢ２２、タブレットＡ２４等）から映像表示装置（電子機器）１に向けて、同時に、制御コマンドが送信された場合は、映像表示装置（電子機器）１は、どの外部制御機器（外部機器）（スマートフォンＡ２１、スマートフォンＢ２２、タブレットＡ２４等）の指示に従えば良いのか等、コンフリクト（対立または衝突等）が生じる恐れがある。
【００３５】
そこで、この実施形態においては、映像表示装置（電子機器）１は、例えば、上記複数の外部制御機器（外部機器）（スマートフォンＡ２１、スマートフォンＢ２２、タブレットＡ２４等）のいずれかから送信された制御コマンドを受信し、この制御コマンドが自機器を制御することが許可された状態の外部制御機器（外部機器）から送信されたかを検出する。
【００３６】
また、上記複数の外部制御機器（外部機器）（スマートフォンＡ２１、スマートフォンＢ２２、タブレットＡ２４等）から送信された複数の制御コマンドを受信した場合に、予めされた設定に基づいて、自機器（映像表示装置（電子機器）１）の制御を受け付ける外部制御機器（外部機器）を検出する。
【００３７】
そして、上記検出された自機器（映像表示装置（電子機器）１）の制御を受け付ける外部制御機器（外部機器）から送信された制御コマンドに基づいて、自機器（映像表示装置（電子機器）１）を制御する。
【００３８】
図３は、実施形態に係わる映像表示装置（電子機器）の表示部に表示される外部制御機器（外部機器）の優先設定画面を示す図である。
【００３９】
図３に示すように、映像表示装置（電子機器）１の表示部１０６には、上記のように、映像表示装置（電子機器）１を操作することが可能な複数の外部制御機器（外部機器）が表示されている。
【００４０】
ここでは、上記複数の外部制御機器（外部機器）は、おとうさんが所有するスマートフォンＡ２１、おかあさんが所有するスマートフォンＢ２２、子供Ａが所有するスマートフォンＣ２３、子供Ｂが所有するタブレットＡ２４等が表示されている。
【００４１】
ユーザは、例えば、リモコン１１４を操作し、この操作することが可能な複数の外部制御機器（外部機器）の中から、優先設定を行ないたい所望の外部制御機器（外部機器）を指定し、設定する。
【００４２】
この設定は、例えば、ＲＯＭ１１２に含まれるフラッシュメモリ等に記憶される。
【００４３】
ここで、「優先設定」とは、上記複数の外部制御機器（外部機器）の中で、他の外部制御機器（外部機器）よりも優先して映像表示装置（電子機器）１を制御する外部制御機器（外部機器）を設定することである。
【００４４】
この優先設定を行う外部制御機器（外部機器）は、例えば、一つでも良いし、複数でも良い。
【００４５】
ここでは、おとうさんが所有するスマートフォンＡ２１と、おかあさんが所有するスマートフォンＢ２２がユーザによって指定され、「優先設定」が設定される。
【００４６】
また、上記「優先設定」の設定期間である「優先設定期間」も設定することが可能である。
【００４７】
ここでは、「優先設定期間」の一例として、「１．優先設定が解除されるまでずっと」、「２．優先設定が設定されてから１ヶ月間」、「３．優先設定が設定されてから１週間」、「４．優先設定が設定されてから１日間」、「５．優先設定が設定されてから１０分間」等が表示される。あるいは、優先設定の時間指定は、「１月３１日（火）、１：３０  ＰＭ  −  １：４０  ＰＭ」等のように、具体的な日時でも良い。
【００４８】
この設定も、例えば、ＲＯＭ１１２に含まれるフラッシュメモリ等に記憶される。
【００４９】
そして、ここでは、例えば、３１を付した「１．優先設定が解除されるまでずっと」が設定されている。
【００５０】
これにより、上記優先設定が解除されるまでずっと、おとうさんが所有するスマートフォンＡ２１と、おかあさんが所有するスマートフォンＢ２２は、子供Ａが所有するスマートフォンＣ２３、子供Ｂが所有するタブレットＡ２４に優先して映像表示装置（電子機器）１を制御することが可能になる。
【００５１】
図４は、実施形態に係わる映像表示装置（電子機器）の表示部に表示される外部制御機器（外部機器）の許可設定画面を示す図である。
【００５２】
図４に示すように、映像表示装置（電子機器）１の表示部１０６には、上記のように、映像表示装置（電子機器）１を操作することが可能な複数の外部制御機器（外部機器）が表示されている。
【００５３】
ここでは、上記複数の外部制御機器（外部機器）は、おとうさんが所有するスマートフォンＡ２１、おかあさんが所有するスマートフォンＢ２２、子供Ａが所有するスマートフォンＣ２３、子供Ｂが所有するタブレットＡ２４等が表示されている。
【００５４】
ユーザは、例えば、リモコン１１４を操作し、この操作することが可能な複数の外部制御機器（外部機器）の中から、許可設定を行ないたい所望の外部制御機器（外部機器）を指定し、設定する。
【００５５】
この設定は、例えば、ＲＯＭ１１２に含まれるフラッシュメモリ等に記憶される。
【００５６】
ここで、「許可設定」とは、上記複数の外部制御機器（外部機器）の中で、例えば、所定条件の下で、映像表示装置（電子機器）１を制御することを許可する外部制御機器（外部機器）を設定することである。
【００５７】
この「許可設定」を行う外部制御機器（外部機器）は、例えば、一つでも良いし、複数でも良い。
【００５８】
ここでは、子供Ａが所有するスマートフォンＣ２３と、子供Ｂが所有するタブレットＡ２４がユーザによって指定され、「許可設定」が設定される。
【００５９】
また、上記「許可設定」の設定期間である「許可時間」も設定することが可能である。
【００６０】
ここでは、「許可時間」の一例として、「１．平日  ４：００ＰＭ−８：００ＰＭ」、「２．休日  ７：００ＡＭ−９：００ＡＭ」、「３．毎日  ４：００ＰＭ−８：００ＰＭ」、「４．    許可しない」等が表示される。
【００６１】
この設定も、例えば、ＲＯＭ１１２に含まれるフラッシュメモリ等に記憶される。
【００６２】
そして、ここでは、例えば、４１を付した「１．平日  ４：００ＰＭ−８：００ＰＭ」が設定されている。
【００６３】
この「許可設定」は、例えば、子供の放送番組の視聴を制限するために、所定の外部制御機器（外部機器）（子供Ａが所有するスマートフォンＣ２３、子供Ｂが所有するタブレットＡ２４等）に対して行なうことができる。
【００６４】
これにより、ここでは、平日  ４：００ＰＭ−８：００ＰＭの間だけ、子供Ａが所有するスマートフォンＣ２３、子供Ｂが所有するタブレットＡ２４は、映像表示装置（電子機器）１を制御することが可能になる。
【００６５】
言い換えれば、平日  ４：００ＰＭ−８：００ＰＭの間以外は、子供Ａが所有するスマートフォンＣ２３、子供Ｂが所有するタブレットＡ２４は、映像表示装置（電子機器）１を制御することが制限される。
【００６６】
なお、この実施形態は、上記図３を用いて説明した例と、上記図４を用いて説明した例を組み合わせることも可能である。
【００６７】
図５は、実施形態に係わる映像表示装置（電子機器）の表示部に表示される外部制御機器（外部機器）の優先順位設定画面を示す図である。
【００６８】
図５に示すように、映像表示装置（電子機器）１の表示部１０６には、上記のように、映像表示装置（電子機器）１を操作することが可能な複数の外部制御機器（外部機器）が表示されている。
【００６９】
ここでは、上記複数の外部制御機器（外部機器）は、おとうさんが所有するスマートフォンＡ２１、おかあさんが所有するスマートフォンＢ２２、子供Ａが所有するスマートフォンＣ２３、子供Ｂが所有するタブレットＡ２４等が表示されている。
【００７０】
また、ここでは、上記映像表示装置（電子機器）１の表示部１０６に表示されている複数の外部制御機器（外部機器）（おとうさんが所有するスマートフォンＡ２１、おかあさんが所有するスマートフォンＢ２２、子供Ａが所有するスマートフォンＣ２３、子供Ｂが所有するタブレットＡ２４）の表示に合わせ、それぞれの「優先順位」が設定され、表示される。
【００７１】
ユーザは、例えば、リモコン１１４を操作し、これらの複数の外部制御機器（外部機器）に所望の「優先順位」を設定する。
【００７２】
この設定は、例えば、ＲＯＭ１１２に含まれるフラッシュメモリ等に記憶される。
【００７３】
ここで、「優先順位」とは、例えば、上記複数の外部制御機器（外部機器）の間で、上記映像表示装置（電子機器）１を制御する際のコンフリクトを防止するために予め設定する、映像表示装置（電子機器）１を制御する際の、複数の外部制御機器（外部機器）間における制御の優先度の順位である。
【００７４】
この「優先順位」の設定を行う外部制御機器（外部機器）は、例えば、一つでも良いし、複数でも良い。
【００７５】
ここでは、おとうさんが所有するスマートフォンＡ２１の「優先順位」は１、おかあさんが所有するスマートフォンＢ２２の「優先順位」は２、子供Ａが所有するスマートフォンＣ２３および、子供Ｂが所有するタブレットＡ２４の「優先順位」はどちらも３に設定されている。
【００７６】
これにより、例えば、おとうさんが所有するスマートフォンＡ２１と、おかあさんが所有するスマートフォンＢ２２の間で上記映像表示装置（電子機器）１を制御する際の制御指示が同時に起こった際は、上記設定に基づいて、おとうさんが所有するスマートフォンＡ２１の制御指示が、おかあさんが所有するスマートフォンＢ２２の制御指示に優先して適用される。
【００７７】
また、おかあさんが所有するスマートフォンＢ２２と、子供Ａが所有するスマートフォンＣ２３または、子供Ｂが所有するタブレットＡ２４の間で上記映像表示装置（電子機器）１を制御する際の制御指示が同時に起こった際は、上記設定に基づいて、おかあさんが所有するスマートフォンＢ２２の制御指示が、子供Ａが所有するスマートフォンＣ２３または、子供Ｂが所有するタブレットＡ２４に優先して適用される。
【００７８】
なお、上記説明では、ユーザが「優先順位」を設定する例を説明したが、この実施形態においては、これに限られることはなく、例えば、上記映像表示装置（電子機器）１に時間的に先にアクセスした外部制御機器（外部機器）の「優先順位」を高くしたり、映像表示装置（電子機器）１へのアクセス回数が多い外部制御機器（外部機器）の「優先順位」を高くしたりしても良い。
【００７９】
あるいは、映像表示装置（電子機器）１へのアクセスが若い順に「優先順位」を高くすることも可能である。
【００８０】
なお、この実施形態は、上記図３乃至上記図５を用いて説明した例を組み合わせることも可能である。
【００８１】
図６は、実施形態に係わる映像表示装置（電子機器）の表示部に表示される占有外部制御機器（外部機器）通知画面を示す図である。
【００８２】
この実施形態においては、上記のように、映像表示装置（電子機器）１は、複数の外部制御機器（外部機器）（スマートフォンＡ２１、スマートフォンＢ２２、スマートフォンＣ２３、タブレットＡ２４等）からそれぞれ制御することが可能である。
【００８３】
ここでは、例えば、おとうさんが所有するスマートフォンＡ２１が占有外部制御機器（外部機器）として設定されている。
【００８４】
「占有外部制御機器（外部機器）」とは、例えば、上記複数の外部制御機器（外部機器）の中で、上記映像表示装置（電子機器）１の制御を占有している状態の外部制御機器（外部機器）である。
【００８５】
そして、上記おとうさんが所有するスマートフォンＡ２１が占有外部制御機器（外部機器）として設定されている状態において、例えば、おかあさんが所有するスマートフォンＢ２２から上記映像表示装置（電子機器）１に向けて制御指示（制御コマンド）が、出力される。
【００８６】
すると、映像表示装置（電子機器）１は、上記のように、おとうさんが所有するスマートフォンＡ２１が占有外部制御機器（外部機器）として設定されているため、おかあさんが所有するスマートフォンＢ２２から出力された制御指示（制御コマンド）は受け付けない。
【００８７】
また、このとき、この実施形態においては、例えば、図６に示すような、上記占有外部制御機器（外部機器）を示す情報が表示出力され、おかあさんが所有するスマートフォンＢ２２から出力された制御指示（制御コマンド）は受け付けないことを示している。
【００８８】
図７は、実施形態に係わる映像表示装置（電子機器）の表示部に表示される、映像表示装置（電子機器）の制御を占有している外部制御機器（外部機器）の情報を示す図である。
【００８９】
ここでは、例えば、放送番組の表示中に、映像表示装置（電子機器）１の表示部１０６に、上記映像表示装置（電子機器）の制御を占有している外部制御機器（外部機器）の情報、すなわち、「スマートフォンＡ占有中」７１が表示出力されている。
【００９０】
図８は、実施形態に係わる映像表示装置（電子機器）に接続される他の外部制御機器（外部機器）の表示部に表示される、映像表示装置（電子機器）の制御を占有している外部制御機器（外部機器）の情報を示す図である。
【００９１】
ここでは、例えば、上記と同様に、スマートフォンＡ２１が上記映像表示装置（電子機器）１の制御を占有するように設定されている。
【００９２】
そして、この設定情報は、上記映像表示装置（電子機器）１から、映像表示装置（電子機器）１に上記接続される複数の外部制御機器（スマートフォンＡ２１、スマートフォンＢ２２、スマートフォンＣ２３、タブレットＡ２４等）に送信される。
【００９３】
図８（ａ）は、例えば、上記複数の外部制御機器（外部機器）の一つであるスマートフォンＢ２２は、この情報を受信し、例えば、ユーザがスマートフォンＢ２２の電源をＯＮにした際に、スマートフォンＢ２２の表示部に「スマートフォンＡ占有中」８１の表示が表示出力されている。
【００９４】
図８（ｂ）は、スマートフォンＡ２１が上記映像表示装置（電子機器）１の制御の占有を解除した場合に、上記と同様に、スマートフォンＢ２２は、この情報を受信し、例えば、ユーザがスマートフォンＢ２２の電源をＯＮにした際に、スマートフォンＢ２２の表示部に「スマートフォンＡ占有解除」８２の表示が表示出力されている。
【００９５】
また、図８（ｃ）は、上記と同様に、複数の外部制御機器（外部機器）の一つであるスマートフォンＣ（子供Ａ）２３は、この情報を受信し、例えば、ユーザがスマートフォンＢ２２の電源をＯＮにした際に、スマートフォンＣ２３の表示部に「スマートフォンＡコントロール中」８３ａおよび、「スマートフォンＢコントロール中」８３ｂの表示が表示出力されている。
【００９６】
ここでは、上記図８（ａ）、図８（ｂ）に示す占有の例に加え、上記図５に示すような優先順位がつけられているケースでも、他の機器が、映像表示装置（電子機器）１Ａにアクセス可能な状況であることを通知することが可能である。
【００９７】
すなわち、上記図５のような設定状況において、お父さん、お母さん、子供Ａからアクセス可能である状況に、スマートフォンＣ２３（子供Ａのスマホ）上には、図８（ｃ）に示すように、「スマートフォンＡコントロール中」８３ａ、「スマートフォンＢコントロール中」８３ｂという表示がされ、例えば、優先順位が３番目である自分の端末のコントロールが拒否される可能性があることを認識させることが可能になる。
【００９８】
図９は、実施形態に係わる映像表示装置（電子機器）に接続される外部制御機器（外部機器）の他の例を示す図である。
【００９９】
図９に示すように、スマートフォンＡ２１が、上記映像表示装置（電子機器）１の制御を占有する占有モードボタン９１、および、この占有を解除する占有解除モードボタン９２を備えているようすを示している。
【０１００】
スマートフォンＡ２１は、上記のように、映像表示装置（電子機器）１に上記接続される複数の外部制御機器（外部機器）の一つである
そして、ユーザがこれらの占有モードボタン９１、および、占有解除モードボタン９２を操作することにより、スマートフォンＡ２１は、上記映像表示装置（電子機器）１の制御を占有したり、占有を解除したりすることができる。
【０１０１】
図１０は、実施形態に係わる映像表示装置（電子機器）の動作を説明するフローチャートである。
【０１０２】
ステップＳ１００は、ここでの開始ステップである。続いて、ステップＳ１０１に進む。
【０１０３】
ステップＳ１０１は、映像表示装置（電子機器）１が、上記接続された複数の外部制御機器（スマートフォンＡ２１、スマートフォンＢ２２、スマートフォンＣ２３、タブレットＡ２４等）のいずれかから制御コマンドを受信したかを検出するステップである。上記接続された複数の外部制御機器（外部機器）のいずれかから制御コマンドを受信したと検出される場合は、ステップＳ１０２に進む（Ｙｅｓ）。上記接続された複数の外部制御機器（外部機器）のいずれかから制御コマンドを受信したと検出されない場合は、ステップＳ１０１に進み、上記処理を繰り返す（Ｎｏ）。
【０１０４】
ステップＳ１０２は、映像表示装置（電子機器）１の制御が許可状態の外部制御機器（外部機器）から送信されたかを検出するステップである。この許可状態の設定は、上記のように、例えば、図４に示す許可設定画面を用いて行なわれる。
【０１０５】
映像表示装置（電子機器）１の制御が許可状態の外部制御機器（外部機器）から送信されたと検出される場合は、ステップＳ１０３に進む（Ｙｅｓ）。映像表示装置（電子機器）１の制御が許可状態の外部制御機器（外部機器）から送信されたと検出されない場合は、ステップＳ１０１に進み、上記処理を繰り返す（Ｎｏ）。
【０１０６】
ステップＳ１０３は、上記外部制御機器（スマートフォンＡ２１、スマートフォンＢ２２、スマートフォンＣ２３、タブレットＡ２４等）の中のいくつか、すなわち、複数の外部制御機器（外部機器）から制御コマンドを受信したかを検出するステップである。
【０１０７】
複数の外部制御機器（外部機器）から制御コマンドを受信したと検出される場合は、ステップＳ１０４に進む（Ｙｅｓ）。複数の外部制御機器（外部機器）から制御コマンドを受信したと検出されない場合は、ステップＳ１０５に進む（Ｎｏ）。
【０１０８】
ステップＳ１０４は、上記設定に基づいて、制御を受け付ける外部制御機器（外部機器）を検出するステップである。上記設定とは、例えば、上記図３で説明した優先設定や、上記図５で説明した優先順位設定等である。続いて、ステップＳ１０５に進む。
【０１０９】
ステップＳ１０５は、上記外部制御機器（外部機器）から送信された制御コマンドを受け付けるステップである。続いて、ステップＳ１０６に進む。
【０１１０】
ステップＳ１０６は、受け付けた制御コマンドに応じて、映像表示装置（電子機器）１を制御するステップである。続いて、ステップＳ１０１に進み、上記処理を繰り返す。
【０１１１】
すなわち、この実施形態の映像表示装置（電子機器）は、複数の外部制御機器（外部機器）（例えば、スマートフォンＡ２１、スマートフォンＢ２２、スマートフォンＣ２３、タブレットＡ２４等）からの制御が可能に接続される外部制御機器（外部機器）接続部（ＬＡＮ端子１１６、無線ＬＡＮ送受信部１１７、ＵＳＢ端子１１８等）を備えている。
【０１１２】
また、上記複数の外部制御機器（外部機器）のいずれかから送信された制御コマンドを受信し、この制御コマンドが自機器（映像表示装置（電子機器）１）を制御することが許可された状態の外部制御機器（外部機器）から送信されたかを検出する第１の検出部（例えば、マイコン１１０）を備えている。
【０１１３】
また、複数の外部制御機器（外部機器）から送信された複数の制御コマンドを受信した場合に、予めされた設定に基づいて、上記自機器の制御を受け付ける外部制御機器（外部機器）を検出する第２の検出部（例えば、マイコン１１０）を備えている。
【０１１４】
また、上記検出された上記自機器の制御を受け付ける外部制御機器（外部機器）から送信された制御コマンドに基づいて上記自機器を制御する制御部（例えば、マイコン１１０）を備えている。
【０１１５】
また、上記自機器を制御することが許可された状態の外部制御機器（外部機器）を設定可能な設定画面（例えば、図４）を出力する許可設定画面出力部を備えている。
【０１１６】
また、上記自機器の制御が他の外部制御機器（外部機器）より優先される外部制御機器（外部機器）を設定可能な設定画面（例えば、図３）を出力する優先設定画面出力部を備えている。
【０１１７】
また、上記自機器の制御が可能な複数の外部制御機器（外部機器）の制御の優先順位を設定可能な設定画面（例えば、図５）を出力する優先順位設定画面出力部を備えている。
【０１１８】
また、上記自機器の制御を受け付ける外部制御機器（外部機器）以外の外部制御機器（外部機器）から送信された制御コマンドを受信した場合は、上記自機器の制御を受け付ける外部制御機器（外部機器）の情報を出力する。
【０１１９】
また、上記検出された外部制御機器（外部機器）の制御を受け付ける旨の情報を出力する。
【０１２０】
また、上記自機器の制御を受け付ける外部制御機器（外部機器）以外の外部制御機器（外部機器）に対し、上記検出された外部制御機器（外部機器）の制御を受け付ける旨の情報を出力する。
【０１２１】
また、この実施形態に係る外部制御機器（外部機器）は、上記映像表示装置（電子機器）１から出力された、上記検出された外部制御機器（外部機器）の制御を受け付ける旨の情報を受信し、表示出力する表示部を備える。
【０１２２】
また、この実施形態に係る外部制御機器（外部機器）は、上記映像表示装置（電子機器）に対し、上記予めされた設定のＯＮ／ＯＦＦ指示を行なうことが可能である。
【０１２３】
このように、この実施形態においては、例えば、複数の外部機器から制御（コントロール）される場合に、同時にコマンドを受け付けないようにすることが可能になる。
【０１２４】
また、ユーザが自分以外の機器からの制御（コントロール）を一時的に禁止させることが可能になる。
【０１２５】
上記のように構成することによって、この実施の形態においては、複数の外部制御機器（外部機器）から制御可能な映像表示装置（電子機器）において、制御を行なうことができる外部制御機器（外部機器）を、必要に応じ、特定できるようにすることが可能になる。
【０１２６】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１２７】
なお、上記実施形態は、記述そのものに限定されるものではなく、実施段階では、その趣旨を逸脱しない範囲で、構成要素を種々変形して具体化することが可能である。
【０１２８】
また、上記実施形態に開示されている複数の構成要素の適宜な組み合せにより種々の発明を形成できる。
【０１２９】
例えば、実施形態に示される全構成要素から幾つかの構成要素を削除してもよい。更に、異なる実施形態に亘る構成要素を適宜組み合せてもよい。
【符号の説明】
【０１３０】
１…映像表示装置（電子機器）、２１…スマートフォンＡ、２２…スマートフォンＢ、２３…スマートフォンＣ、２４…タブレットＡ、１０１…アンテナ、１０２…チューナ、１０３…信号処理部、１０４…映像処理部、１０７…音声処理部、１０６…表示部（映像表示装置（電子機器））、１０８…スピーカ、１０９…バス、１１０…制御部（マイコン）、１１１…ＲＡＭ、１１２…ＲＯＭ、１１３…キーボード、１１４…リモコン、１１５…リモコン受信部、１１６…ＬＡＮ端子、１１７…無線ＬＡＮ送受信部。
【図１】
2013157962.tif 000003
【図２】
2013157962.tif 000004
【図３】
2013157962.tif 000005
【図４】
2013157962.tif 000006
【図５】
2013157962.tif 000007
【図６】
2013157962.tif 000008
【図７】
2013157962.tif 000009
【図８】
2013157962.tif 000010
【図９】
2013157962.tif 000011
【図１０】
2013157962.tif 000012
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
複数の外部機器と接続する接続部と、
前記複数の外部機器のいずれかから送信された制御コマンドを受信し、許可された外部機器から送信された制御コマンドかを検出する検出部と、
前記複数の外部機器から送信された複数の制御コマンドを受信した場合に、制御コマンドを受け付ける外部機器を予めされた設定に基づいて選択する選択部と、
前記選択された外部機器から送信された制御コマンドに基づいて制御する制御部と、
前記予めされた設定を解除可能な解除部を備える電子機器。
【請求項２】
ユーザ操作に応じて、前記予めされた設定の解除を行うことが可能である請求項１に記載の電子機器。
【請求項３】
前記許可された外部機器を設定可能な設定画面を出力する許可設定画面出力部を備える請求項１に記載の電子機器。
【請求項４】
他の外部機器より優先される前記許可された外部機器を設定可能な設定画面を出力する優先設定画面出力部を備える請求項１に記載の電子機器。
【請求項５】
前記許可された外部機器の制御の優先順位を設定可能な設定画面を出力する優先順位設定画面出力部を備える請求項１に記載の電子機器。
【請求項６】
前記許可された外部機器以外の外部機器から送信された制御コマンドを受信した場合は、前記許可された外部機器の情報を出力する請求項１に記載の電子機器。
【請求項７】
前記検出された外部機器の制御を受け付ける旨の情報を出力する請求項１に記載の電子機器。
【請求項８】
前記許可された外部機器以外の外部機器に対し、前記検出された外部機器の制御を受け付ける旨の情報を出力する請求項１に記載の電子機器。
【請求項９】
請求項８に記載の電子機器から出力された、前記検出された外部機器の制御を受け付ける旨の情報を受信し、表示出力する表示部を備える外部機器。
【請求項１０】
請求項１に記載の電子機器に対し、前記予めされた設定のＯＮ／ＯＦＦ指示を行なうことが可能な外部機器。
【請求項１１】
複数の外部機器と接続するステップと、
前記複数の外部機器のいずれかから送信された制御コマンドを受信し、許可された外部機器から送信された制御コマンドかを検出するステップと、
前記複数の外部機器から送信された複数の制御コマンドを受信した場合に、制御コマンドを受け付ける外部機器を予めされた設定に基づいて選択するステップと、
前記選択された外部機器から送信された制御コマンドに基づいて制御するステップと、
前記予めされた設定を解除するステップを備える電子機器の制御方法。
【請求項１２】
複数の外部機器と接続するステップと、
前記複数の外部機器のいずれかから送信された制御コマンドを受信し、許可された外部機器から送信された制御コマンドかを検出するステップと、
前記複数の外部機器から送信された複数の制御コマンドを受信した場合に、制御コマンドを受け付ける外部機器を予めされた設定に基づいて選択するステップと、
前記選択された外部機器から送信された制御コマンドに基づいて制御するステップと、
前記予めされた設定を解除するステップを備え、電子機器を制御する電子機器の制御プログラム。
【手続補正２】
【補正対象書類名】明細書
【補正対象項目名】００１１
【補正方法】変更
【補正の内容】
【００１１】
また、前記選択された外部機器から送信された制御コマンドに基づいて制御する制御部を備える。さらに、前記予めされた設定を解除可能な解除部を備える。